(57)【要約】      （修正有）【課題】危険防止のため、複数のユニット式コンテナの結合の選択肢を増やすようなユニット式コンテナを提供する。【解決手段】ユニット式コンテナは、本体１と、第１の面と、第２の面と、第３の面と、チャンバーと、開口１０と、複数の第１突起１１と、複数の第１コネクタ１２とを含む。前記第１の面と、第２の面と、第３の面は、前記本体に形成されている。前記第２の面は、前記第１の面に対向している。前記第３の面は、前記第１の面と第２の面との間に形成され、前記第１の面と第２の面とを接続する。前記チャンバーは、前記第１の面と第２の面との間に形成されている。前記開口は、前記第３の面に形成され、前記本体のチャンバーと連通している。前記第１突起は、前記第１の面に取り付けられ、該第１の面から突出している。前記第１コネクタは、前記第２の面に取り付けられ、各第１コネクタは、前記第１突起の１つに対応し、整列する。【選択図】図１
0003174019.tif 000002
【実用新案登録請求の範囲】
【請求項１】
立方体の本体を含むユニット式コンテナであって、
前記本体は第１の面と、
該第１の面に対向する第２の面と、
前記本体の前記第１の面を前記本体の前記第２の面に接続する第３の面と、
前記本体の前記第１の面と前記本体の前記第２の面との間に形成されたチャンバーと、
前記本体の前記第３の面に形成され前記本体の前記チャンバーと連通する開口と、
前記本体の第１の面に取り付けられ、該第１の面から突出する複数の第１突起と、
前記本体の前記第２の面に取り付けられた、それぞれが前記第１突起の１つに対応する複数の第１コネクタとを含む、ユニット式コンテナ。
【請求項２】
前記本体の各第１突起は円筒形であり、各第１コネクタは円形の凹所である、請求項１に記載のユニット式コンテナ。
【請求項３】
前記本体は、
前記本体の前記第１の面と前記第２の面とを接続する第４の面と、
前記本体の前記第１の面と前記本体の前記第２の面とを接続する第５の面であって、前記第４の面に対向する第５の面と、
前記本体の前記第４の面に取り付けられ前記第４の面から突出する複数の第２突起と、
前記本体の前記第５の面に取り付けられ、それぞれが前記第２突起の１つに対応する第２コネクタとを含む、請求項１及び２に記載のユニット式コンテナ。
【請求項４】
前記本体の各第２突起は円筒形であり、各第２コネクタは円形の凹所である、請求項３に記載のユニット式コンテナ。
【請求項５】
前記本体は、マトリックス状に配置された４つの第１突起と、マトリックス状に配置された４つの第１コネクタとを有する、請求項３に記載のユニット式コンテナ。
【請求項６】
前記本体は、マトリックス状に配置された４つの第２突起と、マトリックス状に配置された４つの第２コネクタとを有する、請求項５に記載のユニット式コンテナ。
【請求項７】
前記ユニット式コンテナは、前記本体に取り付けられたドアを含む、請求項５に記載のユニット式コンテナ。
【請求項８】
前記ユニット式コンテナは、前記本体に取り付けられたドアを含む、請求項６に記載のユニット式コンテナ。
【請求項９】
前記ユニット式コンテナは、前記本体の前記チャンバーに取り付けられた引き出しを含む、請求項５に記載のユニット式コンテナ。
【請求項１０】
前記ユニット式コンテナは、前記本体の前記チャンバーに取り付けられた引き出しを含む、請求項６に記載のユニット式コンテナ。
【考案の詳細な説明】
【技術分野】
【０００１】
本考案はユニット式コンテナ、特に、他のユニット式コンテナと強固に結合することができるユニット式コンテナに関する。
【背景技術】
【０００２】
キャビネットは、本や装飾物を収納するのに適用され、一層または複数の層のチャンバーから成る。一層のチャンバーを有するキャビネットは、容積が小さく、軽量で、移動が容易であるため、物の収納に広く利用されている。物の量が増加すると、それぞれが一層のチャンバーを有する複数のキャビネットが必要になる。
【０００３】
それぞれが一層のチャンバーを有する前記複数のキャビネットは、常に相互に積み重ねられるが、隣接するキャビネット間の接触面は平坦で、位置決めの手段を備えていない。積み重ねられたキャビネットに力が加えられると、キャビネットは容易に傾く。それ故、キャビネットは再び位置決めされる必要がある。その上、高い場所に位置するキャビネットは、落下し、人を傷つける可能性があるので、危険である。
【考案の概要】
【考案が解決しようとする課題】
【０００４】
安全性の問題を解決するため、一層のチャンバーを有する別の従来型キャビネットは、さらに突起と凹所とを含んでいる。前記突起は、キャビネットの頂部に取り付けられる。凹所はキャビネットの底部に形成される。キャビネットの突起は、位置決め効果をあげるために別のキャビネットの凹所に取り付けられる。そのため、複数のキャビネットが選択的に垂直に、かつ安定的に積み重ねられる。ところが、前記従来型のキャビネットは、水平に伸びるように選択的に接続されたり、交差して配置されたりすることができない。
【０００５】
この欠陥を克服するため、本考案は前述の問題を未然に防ぐユニット式コンテナを提供する。
【課題を解決するための手段】
【０００６】
本考案の目的は、複数のユニット式コンテナの結合手段の選択肢を増やすユニット式コンテナを提供することである。
【０００７】
ユニット式コンテナは、本体と、第１の面と、第２の面と、第３の面と、チャンバーと、開口と、複数の第１突起及び複数の第１コネクタとを含む。前記第１の面、第２の面及び第３の面は、本体に形成されている。前記第２の面は、前記本体の第１の面に対向している。前記第３の面は、前記本体の第１の面と第２の面との間にあって、前記本体の第１の面と第２の面とを接続する。前記チャンバーは、前記本体の第１の面と第２の面との間に形成されている。前記開口は、前記本体の第３の面に形成され、前記本体のチャンバーと連通している。前記複数の第１突起は、前記本体の第１の面に取り付けられ、該第１の面から突出する。前記複数の第１コネクタは、前記本体の第２の面に取り付けられ、各第１コネクタは、前記第１突起の一つに対応し、前記第１突起の一つに整列する。
【０００８】
したがって、複数のユニット式コンテナは、垂直、水平またはこうさするようにせんたくてきに組み合わせることができる。１つのユニット式コンテナの第１突起と別のユニット式コンテナの第１突起との係合により、２つのユニット式コンテナが強固に結合される。
【０００９】
本考案のその他の目的、利点、及び新規な特徴は、添付の図面との併用で以下の詳細な説明から、より明瞭になるであろう。
【図面の簡単な説明】
【００１０】
【図１】本考案に係るユニット式コンテナの第１実施例の斜視図。
【図２】垂直に結合された、図１の複数のユニット式コンテナの操作斜視図。
【図３】水平に結合された、図１の複数のユニット式コンテナの操作斜視図。
【図４】本考案に係るユニット式コンテナの第２実施例の斜視図。
【図５】垂直及び水平に結合された、図４の複数のユニット式コンテナの操作斜視図。
【図６】相互に結合され交差する、図４の複数のユニット式コンテナの操作斜視図。
【図７】ドアを備えた、図１のユニット式コンテナの斜視図。
【図８】引き出しを備えた、図１のユニット式コンテナの分解斜視図。
【考案を実施するための形態】
【００１１】
図１を参照するに、本考案に係るユニット式コンテナは、本体１を含む。本体１は、第１の面と、第２の面と、第３の面と、チャンバーと、開口１０と、複数の第１突起１１と、複数の第１コネクタ１２とを含む。
【００１２】
前記第２の面は、本体１の第１の面に対向している。前記第３の面は、本体１の第１の面と本体１の第２の面との間に形成されている。前記チャンバーは、本体１の前記第１の面と前記第２の面との間に形成されている。開口１０は、本体１の第３の面に形成され、本体１のチャンバーと連痛している。第１突起１１は、本体１の第１の面に取り付けられ、該第１の面から突出している。第１コネクタ１２は、本体１の第２の面の取り付けられ、各第１コネクター１２は、第１突起１１の１つに対応し、該第１突起１１の１つに整列している。
【００１３】
本体１の各第１突起１１は円筒形である。各第１コネクタ１２は、円形の凹所である。各円形凹所は、第１突起１１の１つに対応、整列している。
【００１４】
図４を参照するに、本体１は第４の面と、第５の面と、複数の第２突起１３と、複数の第２コネクタ１４とを含む。前記第４の面は、本体１の第１の面と本体１の第２の面の間にあって、該本体１の第１の面と第２の面とを接続する。前記第５の面は、本体１の第１の面と本体１の第２の面の間にあって、本体１の第１の面と本体１の第２の面との間にあって、本体１の第１の面と第２の面とを接続している。前記第２突起１３は、本体１の第４の面に取り付けられ、該第４の面から突出している。第２コネクタ１４は、本体１の第５の面に取り付けられ、各第２コネクタ１４は第２突起１３の１つに対応し整列している。
【００１５】
本体１の各第２突起１３は円筒形である。各第２コネクタ１４は円形の凹所である。各円形凹所は第２突起１３の１つに対応し整列している。好ましくは、本体１はマトリックス状に配置された４つの第２突起１３と、マトリックス状に配置された４つの第２コネクタ１４とを有する。
【００１６】
図７を参照するに、前記ユニット式コンテナは、本体１に枢動可能に取り付けられたドア２０を含む。図８を参照するに、前記ユニット式コンテナは、本体１の前記チャンバーに取り付けられた引き出し３０を含む。
【００１７】
図２及び３を参照するに、複数のユニット式コンテナは、互いに結合すできる。前記ユニット式コンテナは、別のユニット式コンテナの第１コネクタ１２に係合するユニット式コンテナの第１突起１１により、垂直または水平に積み重ねられるか接続される。
【００１８】
図５を参照するに、前記ユニット式コンテナは、隣接するユニット式コンテナの第１コネクタ１２と、隣接するユニット式コンテナの第２コネクタ１４とを係合させるユニット式コンテナの第２突起１３とを係合させるユニット式コンテナの第１突起１１によって、垂直及び水平に結合される。
【００１９】
図６を参照するに、前記ユニット式コンテナは、ユニット式コンテナの第１突起１１と、２つの隣接するユニット式コンテナの第１コネクタ１２との係合により、交差して接続されている。
【００２０】
したがって、本考案による複数のユニット式コンテナは、異なる垂直、水平、または交差する配置に組み合わせることができる。さらに、本考案によるユニット式コンテナは、安定的に、かつ強固に結合される。
【００２１】
本考案の多数の特徴や利点が、構造及び機能の詳細と共に上記説明に記載されているが、この開示は例示のみのためである。特に形状、寸法、及び部品の配置に関しては、添付の請求項を表現する用語の広義の、一般的な意味で示される範囲の限度まで、本実用新案の原則内で細部の変更が可能である。
【符号の説明】
【００２２】
１  本体
１０  開口
１１  第１突起
１２  第１コネクタ
１３  第２突起
１４  第２コネクタ
【図１】
0003174019.tif 000003
【図２】
0003174019.tif 000004
【図３】
0003174019.tif 000005
【図４】
0003174019.tif 000006
【図５】
0003174019.tif 000007
【図６】
0003174019.tif 000008
【図７】
0003174019.tif 000009
【図８】
0003174019.tif 000010